(57)【特許請求の範囲】
【請求項１】
画素がマトリクス状に配置されてなる画素部を行単位で順次駆動する垂直駆動手段と、
映像信号を入力する映像信号ラインと前記画素部の各列ごとに配線された信号ラインの各々との間に接続された第１のサンプリングスイッチ群と、
前記第１のサンプリングスイッチ群の各スイッチを順次駆動する第１の水平駆動手段と、黒レベルのプリチャージ信号を入力する第１のプリチャージ信号ラインと前記信号ラインの各々との間に接続された第２のサンプリングスイッチ群と、
所定レベルのプリチャージ信号を入力する第２のプリチャージ信号ラインと前記信号ラインの各々との間に接続された第３のサンプリングスイッチ群と、
水平ブランキング期間を除く期間において、前記第１の水平駆動手段による前記第１のサンプリングスイッチ群の各スイッチの駆動に先立って、前記第２のサンプリングスイッチ群の各スイッチおよび前記第３のサンプリングスイッチ群の各スイッチを順次駆動する第２の水平駆動手段と
を備えたことを特徴とする液晶表示装置。
【請求項２】
前記所定レベルはグレーレベルである
ことを特徴とする請求項１記載の液晶表示装置。
【請求項３】
前記所定レベルは次に入力される映像信号の信号レベルを予測して得られる映像信号レベルである
ことを特徴とする請求項１記載の液晶表示装置。
【請求項４】
前記映像信号ラインが互いに逆極性の映像信号を入力する少なくとも２本の映像信号からなり、
前記第１，第２のプリチャージ信号ラインも各々、互いに逆極性のプリチャージ信号を入力する少なくとも２本のプリチャージ信号ラインからなる
ことを特徴とする請求項１記載の液晶表示装置。
【請求項５】
画素がマトリクス状に配置されてなる画素部を、行ごとに画素単位で順次駆動する液晶表示装置の駆動方法であって、
前記画素部の各列ごとに配線された信号ラインごとに水平ブランキング期間を除く期間において、
先ず、黒レベルのプリチャージ信号を、続いて所定レベルのプリチャージ信号を順に書き込み、
その後に映像信号を書き込むことを特徴とする液晶表示装置の駆動方法。
【請求項６】
前記所定レベルはグレーレベルである
ことを特徴とする請求項５記載の液晶表示装置の駆動方法。
【請求項７】
前記所定レベルは次に入力される映像信号の信号レベルを予測して得られる映像信号レベルである
ことを特徴とする請求項５記載の液晶表示装置の駆動方法。
【発明の詳細な説明】
【０００１】
【発明の属する技術分野】
本発明は、液晶表示装置およびその駆動方法に関し、特にマトリクス状に配置された各画素をライン（行）ごとに画素単位で順次駆動する点順次駆動方式のアクティブマトリクス型液晶表示装置およびその駆動方法に関する。
【０００２】
【従来の技術】
アクティブマトリクス型液晶表示装置では、通常、各画素のスイッチング素子として薄膜トランジスタ（ＴＦＴ：thin film transistor）が用いられている。このアクティブマトリクス型ＴＦＴ液晶表示装置において、点順次駆動を行う際に、各画素に印加する映像信号の極性を１Ｈ（Ｈは水平期間）ごとに反転させる１Ｈ反転駆動方式では、画素部の各列ごとに配線された信号ラインへの映像信号の書き込みによる充放電電流が大きいと、縦スジとして表示画面上に見えてしまうことになる。
【０００３】
この映像信号の書き込みによる充放電電流をなるべく抑えるために、映像信号の書き込みに先立って、あらかじめプリチャージ信号レベルを書き込むプリチャージ方式が知られている。この点順次プリチャージ方式のアクティブマトリクス型ＴＦＴ液晶表示装置の構成の一例を図５に示す。ここでは、簡単のために、４行４列の画素配列の場合を例に採って示している。
【０００４】
図５において、ゲートラインＶｇ１〜Ｖｇ４の各々と信号ラインｓｉｇ１〜ｓｉｇ４の各々の交差部に、画素１０１がマトリクス状に配置されている。この画素１０１は、ゲート電極がゲートラインＶｇ１〜Ｖｇ４に、ソース電極（又は、ドレイン電極）が信号ラインｓｉｇ１〜ｓｉｇ４にそれぞれ接続された薄膜トランジスタＴＦＴと、この薄膜トランジスタＴＦＴのドレイン電極（又は、ソース電極）に一方の電極が接続された保持容量Ｃｓとを有する構成となっている。なお、ここでは、図面の簡素化のために、液晶セルＬＣについては省略している。この液晶セルＬＣは、その画素電極が薄膜トランジスタＴＦＴのドレイン電極に接続されている。
【０００５】
この画素構造において、図示せぬ液晶セルＬＣの対向電極および保持容量Ｃｓの他方の電極は各画素間で共通にＣｓライン１０２に接続されている。そして、このＣｓライン１０２を介して所定の直流電圧がコモン電圧Ｖｃｏｍとして、図示せぬ液晶セルＬＣの対向電極および保持容量Ｃｓの他方の電極に与えられるようになっている。
【０００６】
画素部の例えば左側にはスキャンドライバ１０３が配されている。このスキャンドライバ１０３は、１垂直期間（１フィールド期間）ごとにゲートラインＶｇ１〜Ｖｇ４を順次走査して画素１０１を行単位で選択する処理を行う。また、画素部の例えば上側にはソースドライバ１０４が、画素部の例えば下側にはプリチャージドライバ１０５がそれぞれ配されている。
【０００７】
ソースドライバ１０４は、映像信号ライン１０６を通して入力される、１Ｈごとに極性が反転する映像信号ｖｉｄｅｏを順次サンプリングし、スキャンドライバ１０３によって選択された行の画素１０１に対して書き込む処理を行う。すなわち、画素部の各信号ラインｓｉｇ１〜ｓｉｇ４と映像信号ライン１０６との間に接続されたサンプリングスイッチｈｓｗ１〜ｈｓｗ４が、シフトレジスタの各転送段１０７-1〜１０７-4から順に出力されるサンプリングパルスＶｈ１〜Ｖｈ４に応答して順次オンするようになっている。
【０００８】
プリチャージドライバ１０５は、プリチャージ信号ライン１０８を通して映像信号ｖｉｄｅｏと同極性で入力されるプリチャージ信号レベルＰｓｉｇを順次サンプリングし、スキャンドライバ１０３によって選択された行の画素１０１に対して映像信号ｖｉｄｅｏに先立って書き込む処理を行う。すなわち、画素部の各信号ラインｓｉｇ１〜ｓｉｇ４とプリチャージ信号ライン１０８との間に接続されたサンプリングスイッチｐｓｗ１〜ｐｓｗ４が、シフトレジスタの各転送段１０９-1〜１０９-4から順に出力されるサンプリングパルスＶｐ１〜Ｖｐ４に応答して順次オンするようになっている。
【０００９】
次に、上記構成の点順次プリチャージ方式のアクティブマトリクス型ＴＦＴ液晶表示装置の動作について、図６のタイミングチャートを用いて説明する。
【００１０】
先ず、プリチャージドライバ１０５におけるシフトレジスタの各転送段１０９-1〜１０９-4からは、プリチャージスタートパルスＰｓｔに応答してサンプリングパルスＶｐ１〜Ｖｐ４が水平クロックＣＫに同期して順次出力される。一方、ソースドライバ１０４におけるシフトレジスタの各転送段１０７-1〜１０７-4からは、水平スタートパルスＨｓｔに応答して、サンプリングパルスＶｐ１〜Ｖｐ４に対して水平クロックＣＫの半クロック分だけ遅れて、サンプリングパルスＶｈ１〜Ｖｈ４が水平クロックＣＫに同期して順次出力される。
【００１１】
これにより、スキャンドライバ１０３によって順次選択される各行ごとに、先ず、サンプリングパルスＶｐ１に応答してサンプリングスイッチｐｓｗ１がオンすることによってプリチャージ信号レベルＰｓｉｇが信号ラインｓｉｇ１に書き込まれ、続いてサンプリングパルスＶｈ１に応答してサンプリングスイッチｈｓｗ１がオンすることによって映像信号レベルｖｉｄｅｏが信号ラインｓｉｇ１に書き込まれる。以降、サンプリングパルスＶｐ２〜Ｖｐ４およびサンプリングパルスＶｈ２〜Ｖｈ４によってプリチャージ信号レベルＰｓｉｇおよび映像信号レベルｖｉｄｅｏが点順次にて信号ラインｓｉｇ１に書き込まれる。
【００１２】
このように、アクティブマトリクス型ＴＦＴ液晶表示装置において、映像信号ｖｉｄｅｏの信号ラインｓｉｇ１〜ｓｉｇ４への書き込みに先立って、あらかじめプリチャージ信号レベルＰｓｉｇを点順次にて書き込んでおくようにすることで、映像信号ｖｉｄｅｏを書き込む際の信号レベルは小さくて済み、映像信号ｖｉｄｅｏの書き込み時の充放電電流を抑えることができるため、縦スジの発生を防ぐことができるのである。
【００１３】
【発明が解決しようとする課題】
ところで、プリチャージ信号レベルＰｓｉｇとしては、縦スジの最も見えやすいグレーレベルに設定しなければならない。しかしながら、プリチャージ信号レベルＰｓｉｇをグレーレベルに設定すると、ウインドウパターン等を表示した際に、画素トランジスタ（薄膜トランジスタ）のソース・ドレイン間での光リーク量が映像の場所によって異なることに起因して、縦方向のクロストーク（以下、縦クロストークと略称する）が発生し、よって画品位を損なうことなる。
【００１４】
この縦クロストークが発生しないようにするためには、プリチャージ信号レベルＰｓｉｇを黒レベルに設定すれば良く、これにより、画素トランジスタのソース・ドレイン間のリーク電流を画面全体に亘って均一にすることができる。ところが、プリチャージ信号レベルＰｓｉｇを黒レベルに設定すると、先述した縦スジが発生することになる。すなわち、縦クロストークと縦スジとはトレードオフの関係にある。
【００１５】
そこで、本出願人は、黒レベルとグレーレベルを２ステップで一括してプリチャージする、いわゆる２ステップ一括プリチャージ方式のアクティブマトリクス型ＴＦＴ液晶表示装置を提案した。この２ステップ一括プリチャージ方式のアクティブマトリクス型ＴＦＴ液晶表示装置の構成の一例を図７に示す。なお、点順次プリチャージ方式のアクティブマトリクス型ＴＦＴ液晶表示装置とは、プリチャージドライバの構成が異なるだけである。
【００１６】
すなわち、プリチャージドライバ１０５′では、黒レベルとグレーレベルを持つ２ステップのプリチャージ信号レベルＰｓｔｇがプリチャージ信号ライン１０８を通して入力される一方、各信号ラインｓｉｇ１〜ｓｉｇ４とプリチャージ信号ライン１０８との間に接続されたサンプリングスイッチｐｓｗ１〜ｐｓｗ４には、制御ライン１１０を通してプリチャージ制御パルスＰｃｇが共通に与えられるようになっている。
【００１７】
図８に、２ステップ一括プリチャージ方式の場合のタイミング関係を示す。このタイミングチャートから明らかなように、プリチャージ制御パルスＰｃｇは、水平ブランキング期間で発生される。これにより、水平ブランキング期間において、２ステッププリチャージ信号Ｐｓｔｇのうち、先ず黒レベルが、続いてグレーレベルが信号ラインｓｉｇ１〜ｓｉｇ４に対して一括して書き込まれ、その後映像信号ｖｉｄｅｏが点順次にて信号ラインｓｉｇ１〜ｓｉｇ４に書き込まれることになる。
【００１８】
このように、水平ブランキング期間に２ステップのプリチャージ信号Ｐｓｔｇを入力し、信号ラインｓｉｇ１〜ｓｉｇ４に対して一括してプリチャージを行うことによって先ず黒レベルを書き込むことで、画素トランジスタのソース・ドレイン間のリーク電流に起因して発生する縦クロストークを除去し、その後グレーレベルを書き込むことで、映像信号ｖｉｄｅｏの書き込みの際の充放電電流に起因して発生する縦スジを除去することができる。
【００１９】
しかしながら、この２ステップ一括プリチャージ方式では、縦クロストークおよび縦スジの双方を除去して画質不良を改善できるという優れた効果を得ることができるものの、水平ブランキング期間内において黒レベルとグレーレベルを２ステップでプリチャージする必要があることから、水平ブランキング期間が短い映像フォーマットには適用できないという課題がある。
【００２０】
近年、高解像度化に伴って画素数が増える傾向にあり、画素数が増えればその分だけ映像フォーマットの水平ブランキング期間が短くなり、ハイビジョン（ＨＤ）やＵＸＧＡ(ultra extended graphics array) 表示規格などでは、水平ブランキング期間が非常に短くなる。ＵＸＧＡ表示規格を例に採ると、水平１６００画素×垂直１４００画素であり、水平ブランキング期間が例えば２．４μｓｅｃであるため、ゲートラインＶｇ１〜Ｖｇ４を通して各画素トランジスタのゲートに印加される走査パルスの遅延等によってプリチャージ時間がとれなくなる。したがって、２ステップ一括プリチャージ方式が適用できないことになる。
【００２１】
本発明は、上記課題に鑑みてなされたものであり、その目的とするところは、映像フォーマットの水平ブランキング期間が短いグラフィックス表示規格の場合であっても、２ステップのプリチャージを実現可能な液晶表示装置およびその駆動方法を提供することにある。
【００２２】
【課題を解決するための手段】
上記目的を達成するために、本発明では、画素がマトリクス状に配置されてなる画素部を行ごとに画素単位で順次駆動する液晶表示装置において、画素部の各列ごとに配線された信号ラインごとに水平ブランキング期間を除く期間で、先ず、黒レベルのプリチャージ信号を、続いて所定レベルのプリチャージ信号を順に書き込み、その後に映像信号を書き込むようにする。
【００２３】
点順次駆動方式のアクティブマトリクス型液晶表示装置において、信号ラインの各々に対する黒レベルのプリチャージ信号および所定レベルのプリチャージ信号を書き込み、即ち２ステップのプリチャージを水平ブランキング期間を除く期間で、映像信号の書き込みに先立って点順次で行うことで、水平ブランキング期間でプリチャージを行う必要がないため、水平ブランキング期間の短い映像フォーマットにも適用可能となる。
【００２４】
【発明の実施の形態】
以下、本発明の実施の形態について図面を参照して詳細に説明する。図１は、本発明の第１実施形態に係る点順次駆動方式アクティブマトリクス型液晶表示装置の構成例を示す回路図である。ここでは、簡単のために、４行４列の画素配列の場合を例に採って示している。
【００２５】
図１において、ゲートラインＶｇ１〜Ｖｇ４の各々と信号ラインｓｉｇ１〜ｓｉｇ４の各々の交差部には、画素１１がマトリクス状に配置されている。この画素１１は、ゲート電極がゲートラインＶｇ１〜Ｖｇ４に、ソース電極（又は、ドレイン電極）が信号ラインｓｉｇ１〜ｓｉｇ４にそれぞれ接続された薄膜トランジスタＴＦＴと、この薄膜トランジスタＴＦＴのドレイン電極（又は、ソース電極）に一方の電極が接続された保持容量Ｃｓとを有する構成となっている。
【００２６】
なお、ここでは、図面の簡素化のために、液晶セルＬＣについては省略している。この液晶セルＬＣは、その画素電極が薄膜トランジスタＴＦＴのドレイン電極に接続されている。
【００２７】
この画素構造において、図示せぬ液晶セルＬＣの対向電極および保持容量Ｃｓの他方の電極は各画素間で共通にＣｓライン１２に接続されている。そして、このＣｓライン１２を介して所定の直流電圧がコモン電圧Ｖｃｏｍとして、図示せぬ液晶セルＬＣの対向電極および保持容量Ｃｓの他方の電極に与えられるようになっている。なお、Ｃｓライン１２は、隣り合う左右の各画素間で抵抗分ＲＣｓを有している。
【００２８】
画素部の例えば左側にはスキャンドライバ１３が配されている。このスキャンドライバ１３は、１フィールド期間ごとにゲートラインＶｇ１〜Ｖｇ４を順次走査して画素１１を行単位で選択する処理を行う。また、画素部の例えば上側にはソースドライバ１４が、画素部の例えば下側にはプリチャージドライバ１５がそれぞれ配されている。
【００２９】
ソースドライバ１４は、映像信号ライン１６を通して入力される、１Ｈごとに極性が反転する映像信号ｖｉｄｅｏを順次サンプリングし、スキャンドライバ１３によって選択された行の画素１１に対して書き込む処理を行う。すなわち、画素部の各信号ラインｓｉｇ１〜ｓｉｇ４と映像信号ライン１６との間に接続されたサンプリングスイッチｈｓｗ１〜ｈｓｗ４が、シフトレジスタの各転送段１７-1〜１７-4から順に出力されるサンプリングパルスＶｈ１〜Ｖｈ４に応答して順次オンするようになっている。
【００３０】
プリチャージドライバ１５は、プリチャージ信号ライン１８-1，１８-2を通して映像信号ｖｉｄｅｏと同極性で入力される黒レベルのプリチャージ信号Ｐｓｉｇ‐ｂｌａｃｋと、例えばグレーレベルのプリチャージ信号Ｐｓｉｇ‐ｇｒａｙを順次サンプリングし、スキャンドライバ１３によって選択された行の画素１１に対して映像信号ｖｉｄｅｏに先立って書き込む処理を行う。
【００３１】
このプリチャージドライバ１５において、信号ラインｓｉｇ１〜ｓｉｇ４の各々とプリチャージ信号ライン１８-1の間にはサンプリングスイッチＰｂ１〜Ｐｂ４が、また信号ラインｓｉｇ１〜ｓｉｇ４の各々とプリチャージ信号ライン１８-2の間にはサンプリングスイッチＰｇ１〜Ｐｇ４がそれぞれ接続されている。そして、これらサンプリングスイッチＰｂ１〜Ｐｂ４，Ｐｇ１〜Ｐｇ４は、シフトレジスタの各転送段１９-1〜１９-5から順に出力されるサンプリングパルスＶｐ１〜Ｖｐ５に応答して順次オンするようになっている。
【００３２】
すなわち、サンプリングスイッチＰｂ１〜Ｐｂ４には、シフトレジスタの各転送段１９-1〜１９-4から順に出力されるサンプリングパルスＶｐ１〜Ｖｐ４が与えられ、サンプリングスイッチＰｇ１〜Ｐｇ４には、シフトレジスタの各転送段１９-2〜１９-5から順に出力されるサンプリングパルスＶｐ２〜Ｖｐ５が与えられるようになっている。
【００３３】
次に、上記構成の点順次プリチャージ方式のアクティブマトリクス型ＴＦＴ液晶表示装置の動作について、図２のタイミングチャートを用いて説明する。
【００３４】
先ず、プリチャージドライバ１５におけるシフトレジスタの各転送段１９-1〜１９-4からは、プリチャージスタートパルスＰｓｔに応答してサンプリングパルスＶｐ１〜Ｖｐ４が水平クロックＣＫに同期して順次出力される。一方、ソースドライバ１４におけるシフトレジスタの各転送段１７-1〜１７-4からは、水平スタートパルスＨｓｔに応答して、サンプリングパルスＶｐ１〜Ｖｐ４に対して水平クロックＣＫの１クロック分だけ遅れて、サンプリングパルスＶｈ１〜Ｖｈ４が水平クロックＣＫに同期して順次出力される。
【００３５】
そして、スキャンドライバ１３によって１行目が選択されると、先ず、サンプリングパルスＶｐ１に応答してサンプリングスイッチＰｂ１がオンすることによって黒レベルのプリチャージ信号Ｐｓｉｇ‐ｂｌａｃｋが信号ラインｓｉｇ１に書き込まれ、続いてサンプリングパルスＶｐ２に応答してサンプリングスイッチＰｇ１がオンすることによってグレーレベルのプリチャージ信号Ｐｓｉｇ‐ｇｒａｙが信号ラインｓｉｇ１に書き込まれる。このとき同時に、サンプリングパルスＶｐ２に応答してサンプリングスイッチＰｂ２もオンするため、黒レベルのプリチャージ信号Ｐｓｉｇ‐ｂｌａｃｋが信号ラインｓｉｇ２に書き込まれる。
【００３６】
その後、サンプリングパルスＶｐ３の発生タイミングでサンプリングパルスＶｈ１が発生すると、このサンプリングパルスＶｈ１に応答してサンプリングスイッチｈｓｗ１がオンすることによって映像信号レベルｖｉｄｅｏが信号ラインｓｉｇ１に書き込まれる。以降同様にして、信号ラインｓｉｇ２，ｓｉｇ３，ｓｉｇ４の各々に対して、黒レベルのプリチャージ信号Ｐｓｉｇ‐ｂｌａｃｋとグレーレベルのプリチャージ信号Ｐｓｉｇ‐ｇｒａｙが２ステップで点順次にてプリチャージされ、その後映像信号レベルｖｉｄｅｏが点順次にて書き込まれる。
【００３７】
なお、ここでは、１行目（１ライン目）について、２ステップのプリチャージおよび映像信号ｖｉｄｅｏの書き込みを点順次にて行う場合の動作について説明したが、２行目、３行目、４行目についても、１行目の場合と全く同様にして、２ステップのプリチャージおよび映像信号ｖｉｄｅｏの書き込みが点順次にて行われることになる。
【００３８】
上述したように、アクティブマトリクス型ＴＦＴ液晶表示装置において、信号ラインｓｉｇ１〜ｓｉｇ４の各々に対する映像信号ｖｉｄｅｏの書き込みに先立って、信号ラインｓｉｇ１〜ｓｉｇ４の各々に対して黒レベルのプリチャージ信号Ｐｓｉｇ‐ｂｌａｃｋとグレーレベルのプリチャージ信号Ｐｓｉｇ‐ｇｒａｙを２ステップで点順次にてプリチャージするようにしたことにより、縦クロストークおよび縦スジの双方を除去することができる。
【００３９】
すなわち、先ず黒レベルのプリチャージ信号Ｐｓｉｇ‐ｂｌａｃｋをプリチャージすることにより、画素トランジスタのソース・ドレイン間のリーク電流を  面全体に亘って均一にすることができるため、当該リーク電流に起因して発生する縦クロストークを除去することができる。そして、その後に、グレーレベルのプリチャージ信号Ｐｓｉｇ‐ｇｒａｙをプリチャージすることにより、映像信号ｖｉｄｅｏの書き込みの際の充放電電流を抑えることができるため、当該充放電電流に起因して発生する縦スジを除去することができる。
【００４０】
しかも、２ステップのプリチャージを水平ブランキング期間に一括して行うのではなく、信号ラインｓｉｇ１〜ｓｉｇ４の各々に対する映像信号ｖｉｄｅｏの点順次書き込みに先立って、２ステップのプリチャージをも点順次にて行うようにしたことにより、水平ブランキング期間が短い映像フォーマットの場合であっても、水平ブランキング期間でプリチャージを行う必要がないことから、縦クロストークおよび縦スジの双方を除去することができるため、高解像度化に伴う多画素の液晶表示装置、例えばＵＸＧＡ表示規格やＨＤ（ハイビジョン）等の液晶表示装置においても、縦クロストークおよび縦スジに起因する画質不良を改善できることになる。
【００４１】
図３は、本発明の第２実施形態に係る点順次駆動方式アクティブマトリクス型ＴＦＴ液晶表示装置の構成例を示す回路図である。本実施形態に係るアクティブマトリクス型ＴＦＴ液晶表示装置は、互いに隣接する上下左右の画素に印加される映像信号の極性を交互に反転させるドット反転駆動方式のＴＦＴ液晶表示装置である。
【００４２】
ここでは、簡単のために、第１実施形態の場合と同様に、４行４列の画素配列の場合を例に採って示している。なお、画素部の構成については、第１実施形態に係るＴＦＴ液晶表示装置の場合と全く同じであり、異なるのは、ソースドライバ２４およびプリチャージドライバ２５の構成だけであるため、以下、その異なる部分の構成についてのみ説明するものとする。
【００４３】
ソースドライバ２４は、互いに逆極性で入力される例えば２系統の映像信号ｖｉｄｅｏ１，ｖｉｄｅｏ２を１Ｈごとに順次サンプリングし、スキャンドライバ１３によって選択された各画素１１に対して書き込む処理を行う。ここで、２系統の映像信号ｖｉｄｅｏ１，ｖｉｄｅｏ２の極性は、相互間で逆極性であるとともに、その極性が１Ｈごとに反転する。
【００４４】
このソースドライバ２４は、画素部の信号ラインｓｉｇ１〜ｓｉｇ４の各々と映像信号ｖｉｄｅｏ１，ｖｉｄｅｏ２を入力する映像信号ライン２６-1，２６-2の各々の間に交互に接続されたサンプリングスイッチｈｓｗ１〜ｈｓｗ４と、水平スタートパルスＨｓｔに応答してサンプリングパルスＶｈ１，Ｖｈ２を順次出力してサンプリングスイッチｈｓｗ１〜ｈｓｗ４に与えるシフトレジスタ（各転送段２７-1，２７-2）とを有する構成となっている。
【００４５】
このソースドライバ２４において、サンプリングスイッチｈｓｗ１〜ｈｓｗ４は２個ずつ対（ｈｓｗ１とｈｓｗ２、ｈｓｗ３とｈｓｗ４）となっており、シフトレジスタの各転送段２７-1，２７-2から順に出力されるサンプリングパルスＶｈ１，Ｖｈ２に応答して順次オン動作を行うことにより、互いに逆極性の２系統の映像信号ｖｉｄｅｏ１，ｖｉｄｅｏ２を、２列（水平２画素）単位で各信号ラインｓｉｇ１〜ｓｉｇ４に書き込むようになっている。
【００４６】
プリチャージドライバ２５は、互いに逆極性の映像信号ｖｉｄｅｏ１，ｖｉｄｅｏ２が信号ラインｓｉｇ１〜ｓｉｇ４に書き込まれるのに先立って、映像信号ｖｉｄｅｏ１と同極性で入力される黒レベルのプリチャージ信号Ｐｓｉｇ‐ｂｌａｃｋ１およびグレーレベルのプリチャージ信号Ｐｓｉｇ‐ｇｒａｙ１と、映像信号ｖｉｄｅｏ２と同極性で入力される黒レベルのプリチャージ信号Ｐｓｉｇ‐ｂｌａｃｋ２およびグレーレベルのプリチャージ信号Ｐｓｉｇ‐ｇｒａｙ２を、信号ラインｓｉｇ１〜ｓｉｇ４に書き込む処理を行う。
【００４７】
このプリチャージドライバ２５において、信号ラインｓｉｇ１，ｓｉｇ３とプリチャージ信号Ｐｓｉｇ‐ｂｌａｃｋ１を入力するプリチャージ信号ライン２８-1の間にはサンプリングスイッチＰｂ１，Ｐｂ３が、信号ラインｓｉｇ１，ｓｉｇ３とプリチャージ信号Ｐｓｉｇ‐ｇｒａｙ１を入力するプリチャージ信号ライン２８-2の間にはサンプリングスイッチＰｇ１，Ｐｇ３がそれぞれ接続されている。さらに、信号ラインｓｉｇ２，ｓｉｇ４とプリチャージ信号Ｐｓｉｇ‐ｂｌａｃｋ２を入力するプリチャージ信号ライン２８-3の間にはサンプリングスイッチＰｂ２，Ｐｂ４が、信号ラインｓｉｇ２，ｓｉｇ４とプリチャージ信号Ｐｓｉｇ‐ｇｒａｙ２を入力するプリチャージ信号ライン２８-4の間にはサンプリングスイッチＰｇ２，Ｐｇ４がそれぞれ接続されている。
【００４８】
そして、これらサンプリングスイッチＰｂ１〜Ｐｂ４，Ｐｇ１〜Ｐｇ４は、シフトレジスタの各転送段２９-1〜２９-3から順に出力されるサンプリングパルスＶｐ１〜Ｖｐ３に応答して順次オンするようになっている。すなわち、プリチャージスイッチＰｂ１，Ｐｂ２には転送段２９-1から出力されるサンプリングパルスＶｐ１が共通に与えられ、プリチャージスイッチＰｂ３，Ｐｂ４には転送段２９-2から出力されるサンプリングパルスＶｐ２が共通に与えられる。また、プリチャージスイッチＰｇ１，Ｐｇ２には転送段２９-2から出力されるサンプリングパルスＶｐ２が共通に与えられ、プリチャージスイッチＰｇ３，Ｐｇ４には転送段２９-3から出力されるサンプリングパルスＶｐ３が共通に与えられる。
【００４９】
次に、上記構成のドット反転駆動方式のアクティブマトリクス型ＴＦＴ液晶表示装置の動作について、図４のタイミングチャートを用いて説明する。
【００５０】
先ず、プリチャージドライバ２５におけるシフトレジスタの各転送段２９-1〜２９-3からは、プリチャージスタートパルスＰｓｔに応答してサンプリングパルスＶｐ１〜Ｖｐ３が水平クロックＣＫに同期して順次出力される。一方、ソースドライバ２４におけるシフトレジスタの各転送段２７-1，２７-4からは、水平スタートパルスＨｓｔに応答して、サンプリングパルスＶｐ１〜Ｖｐ３に対して水平クロックＣＫの１クロック分だけ遅れてサンプリングパルスＶｈ１，Ｖｈ２が水平クロックＣＫに同期して順次出力される。
【００５１】
そして、スキャンドライバ１３によって１行目が選択されると、先ず、サンプリングパルスＶｐ１に応答してサンプリングスイッチＰｂ１，Ｐｂ２がオンすることにより、信号ラインｓｉｇ１には正極性のグレーレベルのプリチャージ信号Ｐｓｉｇ‐ｇｒａｙ１が、信号ラインｓｉｇ２には逆極性のグレーレベルのプリチャージ信号Ｐｓｉｇ‐ｇｒａｙ２がそれぞれ書き込まれる。このとき同時に、サンプリングパルスＶｐ２に応答してサンプリングスイッチＰｂ３，Ｐｂ４もオンするため、信号ラインｓｉｇ３，ｓｉｇ４にも互いに逆極性の黒レベルのプリチャージ信号Ｐｓｉｇ‐ｂｌａｃｋ１，２が書き込まれる。
【００５２】
その後、サンプリングパルスＶｐ３の発生タイミングでサンプリングパルスＶｈ１が発生すると、このサンプリングパルスＶｈ１に応答してサンプリングスイッチｈｓｗ１，ｓｗ２がオンすることにより、信号ラインｓｉｇ１には正極性の映像信号ｖｉｄｅｏ１が、信号ラインｓｉｇ２には逆極性の映像信号ｖｉｄｅｏ２がそれぞれに書き込まれる。以降同様にして、信号ラインｓｉｇ３，ｓｉｇ４の各々に対して、黒レベルのプリチャージ信号Ｐｓｉｇ‐ｂｌａｃｋ１，２とグレーレベルのプリチャージ信号Ｐｓｉｇ‐ｇｒａｙ１，２が２ステップで点順次にてプリチャージされ、その後映像信号ｖｉｄｅｏ１，２が点順次にて書き込まれる。
【００５３】
なお、ここでは、１行目（１ライン目）について、２ステップのプリチャージおよび映像信号ｖｉｄｅｏ１，２の書き込みを点順次にて行う場合の動作について説明したが、２行目、３行目、４行目についても、１行目の場合と全く同様にして、２ステップのプリチャージおよび映像信号ｖｉｄｅｏ１，２の書き込みが点順次にて行われることになる。
【００５４】
上述したように、ドット反転駆動方式のアクティブマトリクス型ＴＦＴ液晶表示装置において、信号ラインｓｉｇ１〜ｓｉｇ４の各々に対する映像信号ｖｉｄｅｏ１，２の書き込みに先立って、信号ラインｓｉｇ１〜ｓｉｇ４の各々に対して黒レベルのプリチャージ信号Ｐｓｉｇ‐ｂｌａｃｋ１，２とグレーレベルのプリチャージ信号Ｐｓｉｇ‐ｇｒａｙ１，２を２ステップで点順次にてプリチャージするようにしたことにより、第１実施形態の場合と同様に、縦クロストークおよび縦スジの双方を除去し、画質不良を改善できるとともに、水平ブランキング期間でプリチャージを行う必要がないため、高解像度化に伴う多画素の液晶表示装置、例えばＵＸＧＡ表示規格等の液晶表示装置にも適用できることになる。
【００５５】
さらに、ドット反転駆動方式のアクティブマトリクス型ＴＦＴ液晶表示装置にあっては、上述した動作説明から明らかなように、信号ラインｓｉｇ１とｓｉｇ２、ｓｉｇ３とｓｉｇ４には、黒レベルのプリチャージ信号Ｐｓｉｇ‐ｂｌａｃｋ１，２、グレーレベルのプリチャージ信号Ｐｓｉｇ‐ｇｒａｙ１，２および映像信号ｖｉｄｅｏ１，２がそれぞれ逆極性で書き込まれるため、画面内シェーディング等の画質不良を改善できることにもなる。
【００５６】
すなわち、Ｃｓライン１２には隣り合う左右の画素１１，１１間で抵抗分ＲＣｓが存在し、さらにＣｓラインと信号ラインｓｉｇ１〜ｓｉｇ４との間には寄生容量が存在することから、抵抗分ＲＲＣｓと保持容量Ｃｓおよび当該寄生容量によって微分回路が形成される。そして、２ステップでのプリチャージや映像信号ｖｉｄｅｏ１，２の書き込みの際の信号ラインｓｉｇ１〜ｓｉｇ４の各電位変化が、保持容量Ｃｓや寄生容量を介してＣｓライン１２に飛び込むと、Ｃｓライン１２の電位が同極性方向にゆれるため、シェーディング不良を引き起し、画質を大きく損なう懸念がある。
【００５７】
ところが、ドット反転駆動方式のアクティブマトリクス型ＴＦＴ液晶表示装置の場合には、互いに隣り合う信号ラインｓｉｇ１とｓｉｇ２、ｓｉｇ３とｓｉｇ４には、プリチャージ信号Ｐｓｉｇ‐ｂｌａｃｋ１，２、プリチャージ信号Ｐｓｉｇ‐ｇｒａｙ１，２および映像信号ｖｉｄｅｏ１，２がそれぞれ、逆極性の信号レベルとして書き込まれることから、保持容量Ｃｓや寄生容量を介してＣｓライン１２に飛び込む信号ラインｓｉｇ１〜ｓｉｇ４の電位変化がキャンセルされるため、Ｃｓライン１２の電位がゆれることはなく、したがって画面内シェーディング等の画質不良を改善できるのである。
【００５８】
なお、第２実施形態では、ドット反転駆動方式のアクティブマトリクス型ＴＦＴ液晶表示装置に適用した場合について説明したが、例えば、逆極性の映像信号ｖｉｄｅｏ１，２を異なるライン（例えば、上下２ライン）の画素に同時に書き込むとともに、書き込んだ後の画素配列において画素の極性を、隣り合う左右の画素間では同極性とし、上下の画素間では逆極性となるように駆動する、いわゆるドット‐ライン反転駆動方式のアクティブマトリクス型ＴＦＴ液晶表示装置にも同様に適用可能であり、この場合にも、第２実施形態と同様の作用効果を得ることができる。
【００５９】
また、上記各実施形態においては、アナログ映像信号ｖｉｄｅｏ１，２を入力とし、これをサンプリングして点順次にて各画素を駆動するアナログインターフェース駆動回路を搭載した液晶表示装置に適用した場合について説明したが、デジタル映像信号を入力とし、これをラッチした後アナログ映像信号に変換し、この変換後のアナログ映像信号をサンプリングして点順次にて各画素を駆動するデジタルインターフェース駆動回路を搭載した液晶表示装置にも、同様に適用可能である。
【００６０】
さらに、上記各実施形態では、映像信号ｖｉｄｅｏを書き込む直前にプリチャージするプリチャージ信号として、グレーレベルのプリチャージ信号Ｐｓｉｇ‐ｇｒａｙを用いるとしたが、必ずしもグレーレベルのプリチャージ信号に限られるものではなく、例えば次に入力される映像信号ｖｉｄｅｏの信号レベルを予測し、その信号レベルに近いレベルの映像信号をプリチャージ信号として用いるようにすることも可能である。
【００６１】
【発明の効果】
以上説明したように、本発明によれば、点順次駆動方式のアクティブマトリクス型液晶表示装置において、信号ラインの各々に対する２ステップのプリチャージを水平ブランキング期間を除く期間で、映像信号の書き込みに先立って点順次で行うようにしたことにより、水平ブランキング期間で一括してプリチャージを行う必要がないことから、水平ブランキング期間の短い映像フォーマットでも２ステップのプリチャージを実現できるため、多画素の液晶表示装置の場合であっても、縦クロストークや縦スジを除去できることになる。
【図面の簡単な説明】
【図１】本発明の第１実施形態に係る点順次駆動方式アクティブマトリクス型液晶表示装置の構成例を示す回路図である。
【図２】第１実施形態の動作説明のためのタイミングチャートである。
【図３】本発明の第２実施形態に係る点順次駆動方式アクティブマトリクス型液晶表示装置の構成例を示す回路図である。
【図４】第２実施形態の動作説明のためのタイミングチャートである。
【図５】ドット反転駆動方式のアクティブマトリクス型ＴＦＴ液晶表示装置の一従来例を示す回路図である。
【図６】一従来例の動作説明のためのタイミングチャートである。
【図７】ドット反転駆動方式のアクティブマトリクス型ＴＦＴ液晶表示装置の他の従来例を示す回路図である。
【図８】他の従来例の動作説明のためのタイミングチャートである。
【符号の説明】
１１…画素、１２…Ｃｓライン、１３…スキャンドライバ、１４，２４…ソースドライバ、１５，２５…プリチャージドライバ、１６，２６-1，２６-2…映像信号ライン、１８-1，１８-2，２８-1〜２８-4…プリチャージ信号ライン
【図１】
0004135250.tif 000002
【図２】
0004135250.tif 000003
【図３】
0004135250.tif 000004
【図４】
0004135250.tif 000005
【図５】
0004135250.tif 000006
【図６】
0004135250.tif 000007
【図７】
0004135250.tif 000008
【図８】
0004135250.tif 000009